【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
容器用の容器端部において、
容器本体のスパウトを形成しており、小出し開口部を画定する取り巻きシール面を有する開口部を備えた上端部を含む略円筒形の部分を有しているネック部分と、
密封キャップと協働するための、前記円筒形の部分の周りに第１直径まで外向きに成形されている一組のネックラグと、
前記小出し開口部を覆うように作られている取り外し可能な密封キャップであって、最上部パネルと、前記最上部パネルから下向きに伸張するように成形され、前記ネックの前記上端部を囲むように作られているキャップリムとを含んでおり、前記キャップリムは略円形の下縁部で終結するように形成されている密封キャップと、
前記キャップ内の前記最上部パネルの裏側に取り付けられたシール部材と、
前記一組のネックラグの下に噛み合い、前記シール部材を前記シール面と密閉関係に保持するために、前記一組のネックラグの前記第１直径より小さい第２直径まで、前記キャップの前記リム内に内向きに成形されている一組のラグと、を備えており、
前記第一組のネックラグは、それぞれ、前記シール部材を前記小出し開口部に対して押し付けるための、前記シール面から同じ間隔を空けて設けられた、前記ネック部分の下向きに面している略平坦なカム面を有しており、
更に、前記キャップラグの内の少なくとも１つを、前記カム面の内の関係付けられたカム面から解放し、前記シール部材の或る区画を前記シール面から解放し、それによって、前記シール部材と前記シール面が部分的係合を続けている状態で、前記キャップリムを通る通気経路を始動させ、前記経路を通して容器の内側と外側の間の相対圧力が等しくなるようにする手段と、を備えている容器端部。
【請求項２】
前記シール部材は、前記最上部パネルと前記リムの接合部に隣接する前記キャップの前記リム内に入っているエラストマー製のリング状部材である、請求項１に記載の容器端部。
【請求項３】
前記キャップの前記リムの前記下縁部に形成されている外巻き部を更に備えており、
前記キャップラグは、前記外巻き部から内向きに伸張している、請求項１に記載の容器端部。
【請求項４】
下端部と、容器の本体と接合するための、前記下端部の底部に設けられたウイング部分とを有している前記ネック部分を更に含んでいる、請求項１に記載の容器端部。
【請求項５】
前記容器端部は、容器本体の最上部と一体に形成されている、請求項１に記載の容器。
【請求項６】
容器に取り付けるための容器端部において、
下縁部と、前記下縁部より直径が小さい略円筒形の上側部分とを有し、周囲の巻き部を備えた小出し開口部を含んでいるネック部分と、
密封キャップと協働するために前記上側部分の周りに第１直径まで外向きに成形されている第一組のネックラグであって、前記ネック部分の周りに間隔を空けて配置されている概ね細長い形状をしており、前記周囲の巻き部から同じ距離で前記上側ネック部分の下方向に向いているカム面を含んでいるネックラグと、
前記小出し開口部を覆うように作られており、最上部パネルと、前記上側ネック部分と前記ネックラグの周りに前記最上部パネルから下向きに伸張するよう作られ、略円形の下縁部で終端しているリムとを含んでいる、取り外し可能な密封キャップと、
前記最上部パネルに隣接して前記キャップの前記リム内に取り付けられているシール部材と、
前記シール部材を前記小出し開口部の前記周囲の巻き部と密閉関係に保持できるほどに前記ネックラグの下と係合するため、前記ネックラグの前記第１直径より小さい第２直径まで、前記キャップ部材の前記リム内で内向きに成形されている一組のキャップラグであって、前記キャップリムの周りに、前記ネックラグの間の間隔に対応する間隔を空けて配置されており、前記ネックラグの下側に動かして、前記カム面と接触させることができるように形成されている一組のキャップラグと、
前記キャップラグの内の少なくとも１つを、前記カム面の内の関係付けられたカム面から解放し、前記シール部材の或る区画を前記シール面から解放し、それによって、前記キャップが取り外される前に、前記キャップリムを通る通気経路を始動させ、前記経路を通して容器の内側と外側の間の相対圧力が等しくなるようにする手段と、を備えている容器端部。
【請求項７】
前記ネックラグの内の少なくとも１つのラグは、前記キャップを開く方向に回転させている間に、関係付けられているキャップラグが前記シール面に向かって上方向に動き、前記シール面と前記シール部材の間の接触を開き始められるように、前記１つのラグのカム面より上方に間隔を空けて配置されている面を有する通気部分を含んでいる、請求項６に記載の容器端部。
【請求項８】
前記ネックラグの内の少なくとも１つのラグは、キャップが更に開放方向に回転するのを防ぐための止め部を含んでいる、請求項７に記載の容器端部。
【請求項９】
前記ネックラグの１つは、ネックラグの間の開口部を横切っているキャップラグの１つと係合し、キャップを更に開放方向に回転させる間に前記１つのキャップラグを持ち上げて、容器内の負圧による力に打ち勝って容器の内側の通気を開始させるための、垂下する面を含んでいる、請求項６に記載の容器端部。
【請求項１０】
前記ネックラグの内の少なくとも１つのラグは他のネックラグより短く、前記１つのネックラグと隣接するネックラグとの間に広い間隔を形成し、キャップラグの１つが、前記シール面に向かって上向きに動き、前記シール面と前記シール部材の間の接触に最初の開放状態を作り出し、前記ネックラグ以外は、最初の開放動作の間に、他のキャップラグが解放されるのを防ぐように構成されている、請求項６に記載の容器端部。
【請求項１１】
前記ネックラグの間の間隔は順次狭くなっているが、なお前記キャップラグの幅よりは広く、前記キャップラグを順次解放するよう構成されている、請求項１０に記載の容器端部。
【請求項１２】
缶本体に組み込まれているネック部材と、前記ネック部材と共に再密封可能な閉鎖容器を形成するキャップ部材とを含む容器端部を製造する方法において、
ネック部材に、略円筒形の上側ネック部分を形成する段階と、
前記上側ネック部分上に巻き部を形成し、小出し開口部を画定する段階と、
前記上側ネック部分から所定の第１直径まで外向きに突き出ている第一組のネックラグを形成し、前記第一組のネックラグ上に、前記小出し開口部から離れる方向に向いているカム面を形成する段階と、
最上部パネルと、前記最上部パネルから垂下するリムとを含んでおり、前記リムの縁部周りには巻き部が形成されている、逆向きの略カップ形状のキャップ部材を提供する段階と、
前記キャップを回転させると、前記ネックラグ上の前記カム面と相互作用して、前記最上部パネルとその中のシールを、前記小出し開口部を囲んでいる前記外側巻き部に対して維持するように、前記リムから、前記ネックラグの直径より小さい所定の第２直径まで内向きに伸張する一組のキャップラグを形成する段階と、
前記キャップラグの内の少なくとも１つのラグを、前記カム面の内の関係付けられている１つから解放し、前記シール部材の或る区画を前記シール面から解放して、前記キャップのリムを通る通気経路を始動させ、前記キャップを完全に開く前に、容器の内側と外側の間の圧力を等しくするための手段を提供する段階と、から成る方法。